(57)【要約】【課題】  異なる方向に排除される紙葉類を単一の排除用集積部に集積できるようにする。【解決手段】検査部４の検査情報に基づいて第１及び第２の方向に振り分ける第１の振分部６と、この第１の振分部６により第１の方向に振り分けられた紙葉類を処理する処理部１０と、第１の振分部６により第２の方向に振り分けられた紙葉類を搬送する第１の搬送経路８と、処理部１０によって処理された紙葉類を処理部１０の処理情報に基づいて第３或いは第４の方向に振り分ける第２の振分部１３と、この第２の振分部１３によって第３の方向に振り分けられた紙葉類を集積する集積部１６と、第２の振分部１３によって第４の方向に振り分けられた紙葉類を搬送する第２の搬送経路１８と、第１及び第２の搬送経路８，１８を合流させる合流部１９と、第１或いは第２の搬送経路８，１８に沿って搬送されて合流部１９を通過した紙葉類を集積させる排除用集積部２０とを具備する。【選択図】      図１
2005178913.tif 000002
【特許請求の範囲】
【請求項１】
紙葉類を取り出す取出手段と、
この取出手段によって取り出された紙葉類を搬送路に沿って搬送する搬送手段と、
この搬送手段によって搬送される紙葉類を処理する第１の処理手段と、
この第１の処理手段によって処理された紙葉類を前記第１の処理手段の処理情報に基づいて第１及び第２の方向に振り分ける第１の振分手段と、
この第１の振分手段により第１の方向に振り分けられた紙葉類を処理する第２の処理手段と、
前記第１の振分手段により第２の方向に振り分けられた紙葉類を搬送する第１の搬送経路と、
前記第２の処理手段によって処理された紙葉類を前記第２の処理手段の処理情報に基づいて第３或いは第４の方向に振り分ける第２の振分手段と、
この第２の振分手段によって第３の方向に振り分けられた紙葉類を集積する集積部と、
前記第２の振分手段によって第４の方向に振り分けられた紙葉類を搬送する第２の搬送経路と、
前記第１及び第２の搬送経路を合流させる合流部と、
前記第１或いは第２の搬送経路に沿って搬送されて前記合流部を通過した紙葉類を集積させる排除用集積部と
を具備することを特徴とする紙葉類処理装置。
【請求項２】
前記第１の振分手段から前記第２の処理手段及び第２の搬送経路を経由して合流部に至る経路長をＬ１、前記第１の搬送経路の経路長をＬ２としたとき、
式  Ｌ１＝ｍ×Ｐ＋α、Ｌ２＝ｎ×Ｐ＋α  （ただし、Ｐは紙葉類の搬送間隔、αは一定の距離、ｍ，ｎは整数）
が成り立つように設定されたことを特徴とする請求項１記載の紙葉類処理装置。
【請求項３】
前記Ｌ１とＬ２の経路長の差は前記紙葉類の搬送間隔の整数倍であることを特徴とする請求項２記載の紙葉類処理装置。
【請求項４】
前記合流部は第１及び第２の搬送経路によって搬送されてくる紙葉類を合流させるガイドを備えることを特徴とする請求項１記載の紙葉類処理装置。
【請求項５】
前記合流部は前記ガイドによってガイドされてくる紙葉類を固定アイドルローラとピンチアイドルローラとによって挟持搬送することを特徴とする請求項４記載の紙葉類処理装置。
【発明の詳細な説明】
【技術分野】
【０００１】
本発明は、例えば、検査結果に基づいて排除される紙葉類を排除用集積部に集積する紙葉類処理装置に関する。
【背景技術】
【０００２】
この種の紙葉類処理装置には取出部から紙葉類を取り出し、この取り出された紙葉類が例えば、検査部に搬送されて内容的に排除すべきものか否かが判別され、排除すべきものであると判別された紙葉類は排除用集積部に排除集積される。
【０００３】
また、排除用集積部にて排除集積されなかった紙葉類は、通常処理用集積部へ種類毎に振り分けられて集積されるが、所定枚数に達すると、それ以降の紙葉類は第２の排除用集積部に集積される（例えば、特許文献１参照。）。
【特許文献１】特開２００３−２１６９９９号公報。
【発明の開示】
【発明が解決しようとする課題】
【０００４】
しかしながら、従来においては、第１及び第２の排除用集積部を備え、これら第１及び第２の排除用集積部に集積された紙葉類を人手によって集めていたため、回収作業が手間取るものとなっていた。
【０００５】
また、排除紙葉類の回収作業を自動化しようとしても、排除用集積部が複数個（２個）あると、動作時間が長くなるとともに、機構的にも複雑化するという不都合がある。
【０００６】
本発明は上記事情に着目してなされたもので、その目的とするところは、複数方法に排除される紙葉類を単一の排除用集積部に集積できるようにした紙葉類処理装置を提供することにある。
【課題を解決するための手段】
【０００７】
上記課題を解決するため、請求項１記載のものは、紙葉類を取り出す取出手段と、この取出手段によって取り出された紙葉類を搬送路に沿って搬送する搬送手段と、この搬送手段によって搬送される紙葉類を処理する第１の処理手段と、この第１の処理手段によって処理された紙葉類を前記第１の処理手段の処理情報に基づいて第１及び第２の方向に振り分ける第１の振分手段と、この第１の振分手段により第１の方向に振り分けられた紙葉類を処理する第２の処理手段と、前記第１の振分手段により第２の方向に振り分けられた紙葉類を搬送する第１の搬送経路と、前記第２の処理手段によって処理された紙葉類を前記第２の処理手段の処理情報に基づいて第３或いは第４の方向に振り分ける第２の振分手段と、この第２の振分手段によって第３の方向に振り分けられた紙葉類を集積する集積部と、前記第２の振分手段によって第４の方向に振り分けられた紙葉類を搬送する第２の搬送経路と、前記第１及び第２の搬送経路を合流させる合流部と、前記第１或いは第２の搬送経路に沿って搬送されて前記合流部を通過した紙葉類を集積させる排除用集積部とを具備する。
【発明の効果】
【０００８】
本発明によれば、異なる方法に排除される排除紙葉類を単一の排除用集積部に合流して集積させることができ、排除紙葉類の回収作業を容易化できるとともにその自動化も簡単になる。
【発明を実施するための最良の形態】
【０００９】
以下、本発明を図面に示す実施の形態を参照して詳細に説明する。  
図１は本発明の第１の実施の形態である紙葉類処理装置を示す概略的構成図である。
【００１０】
図中１は紙葉類Ｓを積層状態で投入させる投入部で、この投入部１には紙葉類Ｓをその上面部側のものから順次、１枚ずつ分離して取り出す取出手段としての取出ローラ１ａが設けられている。
【００１１】
この取出ローラ１ａによって取り出された紙葉類Ｓは搬送手段としての搬送ベルト２によって搬送路３に沿って搬送される。搬送路３中には第１の処理手段としての検査部４が設けられ、この検査部４により紙葉類Ｓが例えば重送されているか否かが判別される。
【００１２】
検査部４の紙葉類搬出側には紙葉類の搬送方向を第１及び第２の方向に振り分ける第１の振分手段としての第１の振分部６が設けられている。第１の方向（矢印ａ方向）に振り分けられた紙葉類は搬送路３に沿って搬送され、第２の方向（矢印ｂ方向）に振り分けられた紙葉類は第１の搬送経路としての第１の排除用搬送路８に沿って搬送される。
【００１３】
搬送路３中には紙葉類の良否を判別する第２の処理手段としての処理部１０が配設されている。処理部１０の紙葉類搬出側には紙葉類の搬送方向を第３及び第４の方向に振り分ける第２の振分手段としての第２の振分部１２，１３が配設されている。第２の振分部１２，１３によって振る分けられる第３の方向（矢印ｃ方向）には正常な紙葉類を集積させる集積部１５，１６が配設されている。第２の振分部１３によって振る分けられる第４の方向（矢印ｄ方向）には第２の搬送経路としての第２の排除用搬送路１８が設けられている。この第２の排除用搬送路１８と上記した第１の排除用搬送路８とは合流部１９で合流され、この合流部１９の紙葉類搬出側には単一の排除用集積部２０が設けられている。
【００１４】
ところで、第１の振分部６から処理部１０及び第２の振分部１２，１３を経由して合流部１９に至る搬送路長をＬ１、第１の振分部６から合流部１９に至る第１の排除用搬送路８の搬送路長をＬ２としたとき、
Ｌ１＝ｍ×Ｐ十α
Ｌ２＝ｎ×Ｐ十α
（ただし、Ｐは紙葉類の取出間隔、αはある一定の距離、ｍ・ｎは整数）
の関係が成り立つように設計されている。
【００１５】
このことにより、第１の排除用搬送路８から搬送される紙葉類と、第２の排除用搬送路１８から搬送される紙葉類が同時に合流部１９に搬送されたときは、紙葉類の先端がほぼ同じタイミングで合流部１９で出会うようになっている。
【００１６】
図２は、上記した合流部１９の構成を示すものである。
【００１７】
合流部１９にはガイド２２が設けられ、このガイド２２により第１及び第２の排除用搬送路８，２０から運ばれてくる紙葉類をガイドして１つの搬送路２３に合流させる。
【００１８】
合流部１９の出口側には搬送ベルト３に転接する固定アイドルローラ２４が設けられている。
【００１９】
次に、上記した紙葉類処理装置の処理動作について説明する。
【００２０】
取出ローラ１ａが回転されると、投入部１の紙葉類Ｓが上方のものから順次、１枚ずつ分離して取り出され、搬送路３に送り出される。この紙葉類Ｓは搬送ベルト２により挟持されて一定の速度で搬送されて検査部４へ送られ、ここで、種々の処理、例えば紙葉類Ｓが重送されているか否かが判別される。
【００２１】
この判別により紙葉類Ｓが重送されていなければ、第１の振分部６により矢印ａで示すように第１の方向に振り分けられ、重送されていれば、矢印ｂで示すように第２の方向に振り分けられる。
【００２２】
第１の方向（矢印ａ方向）に振り分けられた紙葉類Ｓは搬送路３を介して処理部１０に搬送されて内容が正常であるか否かが判別される。第２の方向（矢印ｂ方向）に振り分けられた紙葉類Ｓは第１の排除用搬送路８を介して排除用集積部として集積ユニット２０に送られて集積される。
【００２３】
処理部１０で処理された紙葉類Ｓは処理部１０から送り出されて搬送され、第２の振分部１２，１３が処理部１０の処理情報に基づいて動作することにより搬送方向が第３或いは第４の方向に振り分けられる。即ち、第２の区分部１２，１３により第３の方向（矢印ｃ方向）に振り分けられた正常な紙葉類は正常用の集積部１５，１６に集積されて束状に積層される。第４の方向（矢印ｄ方向）に振り分けられた正常でない紙葉類は第２の排除用搬送路１８を介して合流部１９へ搬送される。そして、この合流部１９から排除用の集積ユニット２０に集積されて束状に積層される。
【００２４】
上記したように、この実施の形態によれば、第１及び第２の排除用搬送路８，１８を合流部１９で合流させるため、第１及び第２の排除用搬送路８，１８から排出される排除紙葉類を単一の排除用の集積ユニット２０に集積することができ、集積ユニットを個別に備える必要がない。従って、排除された紙葉類の回収作業が容易になるとともに、自動化も簡略化できる。
【００２５】
また、第１の振分部６から処理部１０及び第２の振分部１２，１３を経由して合流部１９に至る搬送路長Ｌ１と、第１の振分部６から合流部１９に至る第１の排除用搬送路８の搬送路長Ｌ２をＬ１＝ｍ×Ｐ十α，Ｌ２＝ｎ×Ｐ十αとなるように設定するため、第１の排除用搬送路８から搬送された紙葉類と、第２の排除用搬送路１８から搬送された紙葉類が同時に合流部１９に搬送されたときは、紙葉類の先端がほぼ同じタイミングで合流部１９で出会うことが可能となり、排除用の集積ユニット２０での集積性能が向上する。
【００２６】
また、Ｌ１、Ｌ２の長さを変えることにより、合流時における紙葉類の重なり状態を意図的に変化させることが可能となる。
【００２７】
また、複数枚の紙葉類が合流する場合には、搬送ベルト３が紙葉類の厚みに応じて逃げる構造であるため、紙葉類の詰まりや滞留も発生しない。
【００２８】
図３は、合流部１９の他の実施形態を示すものである。
【００２９】
この実施の形態では搬送ベルト３が固定アイドルローラ２４とピンチローラ２５とによって挟持されている。
【００３０】
合流部１９に複数枚の紙葉類が同時に搬送された場合には、ピンチローラ２５が紙葉類の厚みに応じて退避して紙葉類の詰まりが防止されるようになっている。
【００３１】
なお、本発明は、上記一実施の形態に限られることなく、その要旨の範囲内で種々変形実施可能なことは勿論である。
【図面の簡単な説明】
【００３２】
【図１】本発明の一実施の形態である紙葉類処理装置を示す概略的構成図。
【図２】同紙葉類処理装置の搬送合流部を示す構成図。
【図３】本発明の他の実施の形態である合流部を示す構成図。
【符号の説明】
【００３３】
１ａ…取出ローラ（取出手段）、２…搬送ベルト（搬送手段）、３…搬送路、４…検査部（第１の処理手段）、６…第１の振分部（第１の振分手段）、８…第１の排除用搬送路（第１の搬送経路）、１０…処理部（第２の処理手段）、１２，１３…第２の振分部（第２の振分手段）、１５，１６…集積部、１８…第２の排除用搬送路（第２の搬送経路）、１９…合流部、２０…集積ユニット（排除用集積部）、２２…ガイド、２３…固定アイドルローラ、２５…ピンチアイドルローラ。
【図１】
2005178913.tif 000003
【図２】
2005178913.tif 000004
【図３】
2005178913.tif 000005